(57)【要約】      （修正有）【課題】手摺補強の受け桟を兼ねた素人にも取り付けられる手摺を提供する。【解決手段】新築住宅建設途中だけに専門職によってしっかりと取付けされていた手摺に、下地補強を考えずに必要な場所だけでも素人で取り付けられる手摺を供給する。比較的薄板で形成された上面と立て板とでＬ字状に形成された手摺取付け材と手摺部材とが継ぎ部材を介して一体的に形成されており、これを直線状やＬ型に作られたドアや障子の縦部材や下駄箱の天板隅などに正面や上面からＬ字状手摺取付け部材を上から覆うようにしてビス止めしてあることを特徴とする。【選択図】図１
0003170988.tif 000002
【実用新案登録請求の範囲】
【請求項１】
比較的薄板で形成された上面と立て板とでＬ字状に形成された手摺取付け部材と手摺部材とが継ぎ部材を介して一体的に形成されており、これを直線状やＬ型に作られたドアや障子の縦部材や下駄箱の天板隅などに正面や上面からＬ字状手摺取付け部材を上から覆うようにしてビス止めしてあることを特徴とするどこでも取付けられる手摺。
【考案の詳細な説明】
【技術分野】
【０００１】  本考案は形成が直線状かＬ字状に形成されたどこでも取付けられる手摺に関するものである。
【背景技術】
【０００２】  従来の手摺は直接壁面に取付ける方法と壁面上の桟材の上から取付けられる方法があり、壁面や桟材の状態を考慮しながら壁面固定金具をビスによって固定させ、手摺を載せて一体化させ、廊下や階段などの場所に多く設置されていた。【０００３】    従来の手摺は、建物内外の壁面材下の下地木材や軽量鉄骨材の仕上りが、粗の仕上げ材料の下地が縦横に４５ｃｍ間隔での固定として決まっており、直角や反りや厚みが均一ではないばかりか、壁面材料も防火対策のため巾が９０ｃｍの石コウボード等を横に並べ最大４５ｃｍ間隔で固定するため、反りやねじれや倒れが壁面表面に現れ、手摺受金物と石コウボード等の間に手摺の長さと同じで手摺受金物の２倍程の高さの桟材を先に固定し、壁面材の反りやねじれや倒れを複写した桟材の上から手摺受金物に手摺を固定するため専門職による取付けが必要になり、手摺と言われると老若男女すべての人が使用できる共通手摺が一般家庭でさえも多く見られていた。
【先行技術文献】
【特許文献】
【０００４】    さらに考案者に関連する先行特許を調べると次のような文献が見受けられた。
【特許文献１】  特開２０００−３４５６７８  公報
【特許文献２】  特開２０００−２４０２４７  公報
【特許文献３】  特開２００２−１２９７２８  公報
【非特許文献】
【非特許文献１】  株式会社シロクマ  住宅用手すりカタログＮＯ．２０１０  ２０１０年４月
【考案の概要】
【考案が解決しようとする課題】
【０００５】    しかしながら従来の手摺は、般建築において粗の下地木材の上に壁面材が固定され、その上に桟材が反りやねじれや倒れが生じていたとしてもビスによって固定されていて、桟材には上面固定と前面固定の両方をビスによって固定されている、手摺受金物が特許文献１で、桟材の前面に取付けられた壁面固定金具が上下左右方向に桟材の反りやねじれや倒れがあると、その先の手摺受金物や手摺ももっと大きく手摺の中心が外れた位置の取付けとなってしまい、桟材の上面固定と前面固定の両方をビスによる固定ができる手摺受金物は簡単な固定方法であるとの文献にあるが、桟材が仕上られていたとしても粗の下地木材、壁面、桟材と重ねただけでは、壁面上の桟材の反りは変わらない。
特許文献２では、壁面角の出隅に合せたＬ型手摺受金物にビス止めする方法で、Ｌ型手摺受金物の角部に継ぎ部材と手摺と連結させたもので、継ぎ部が長ければ長い程、てこの原理で、出隅からさらに飛び出す意匠により、建築枠に取付けた時には出入り口側にはみ出し通路を狭くしてしまい手摺としては強度が弱く建築枠の見付の巾が狭いため取付けはできない。また交差する粗の下地材料に壁面材を直角にビス止めして出隅の角度と上下のＬ型手摺受金物に隙間無く直角に合致させる下地施工は難しいだけでなく、ビス同士による交差接近になり、下地材料の割れの無いビス固定方法は専門職による取付けが必要になってくる。
特許文献３では住宅の壁面材下に粗の下地材を使用しても、その上に外壁部材の仕様として、水が浸入しないように２枚の外壁部材の厚さのおのおの半分ずつを欠きとって重ね合せ、すき間にパッキン材としてコーキングにより水の浸入を抑える事が目的であり、Ｌ字状手摺取付け部の相欠き継ぎを建物の外壁に取付けた手摺を引く力や押す力が加わった時にも、安定して手摺の壁面固定金具として強度を保つための加工方法ではありません。
非特許文献１は特許文献１の桟材への固定に桟材の上面はガイドとなっていて前面固定のみをビスによる固定できる手摺受金物で、桟材と個々の壁面受金物の間に調整材を使用して桟材の反りやねじれや倒れを補正できるが、専門職による固定方法となり、仕上げられた桟材であってもそのまま取付けられる仕様ではありません。
そこで本考案の問題点題を解決するためには、
１、下地材部分に反りやねじれや傾きが無く、厚さの均一性が保たれて仕上げられた建築部材にあっても、見付の巾の狭い建築縦枠と欠けやすい石コウボード等のような材質の異なる材料とを跨設することのできる壁面取付け金具が無かった。
２、ガラス又はガラリの付いた建具に、手摺にレバーハンドル金物の高さが９０ｃｍを使用しないで、横手摺高さ７５ｃｍと同じ位置にガラスやガラリや化粧額と額枠の２つの材質の異なる材料位置を跨設できる物が無かった。
３、家具下駄箱の天板の上下の化粧合板に挟まれた芯材がオガクズチップやペーパーハニカムでも固定できる仕様のものが無かった。
４、既存の手摺取付け金物で壁面取付け部のビス止め穴は、手摺を使用した時に利用者がビスの頭部による切り傷を受けない方向やビス同士が交差して下地木材が割裂しないような方向にビス頭部の穴の面が向いていて、ドライバーで締め易い方向とは異なっていた。
５、手摺用壁面固定金具を固定するための壁面材料や粗の下地材の位置、大きさに、強度の認識が必要だった。
６、建築建具枠より縦の手すりは壁面側に取付けられるため、手摺を持ったまま別の部屋に移ることはできないことから、建具枠の踏み込みで手を離しざるを得なかった。
７、引違障子や引違建具には左右の建具枠の他、縦框の重なる部分にも取付けられて両手が届き、左右の手それぞれが手摺を握れる手摺が無かった。
８、椅子の置けない狭い玄関の下駄箱の天板に取り付けたＬ字型ハンドルによって、壁面に取付けられた手摺よりそれぞれの手でも片手でもバランスを保ちやすい使い方をしたい。
９、寝室・居間などの家具にＬ字型ハンドル手摺を縦に使用して、股関節や肩ほどの位置に取り付けて畳の床からの生活を続けたい。
１０、窓サッシュの出窓枠の左右にも取付け洋風の生活も続けたい。
などのようにすることが目的である。
【課題を解決するための手段】
【０００７】  本考案は上記課題を解決するために、比較的薄板で形成された上面と立て板とでＬ字状に形成された手摺取付け材と手摺部材とが継ぎ部材を介して一体的に形成されており、これを直線状やＬ型に作られたドアや障子の縦部材や下駄箱の天板隅などに正面や上面からＬ字状手摺取付け部材を上から覆うようにしてビス止めしてあることを特徴とするどこでも取付けられる手摺を提案した。
【考案の効果】
【０００８】手摺と一体化したＬ字状受金物により
上記の構成からなるので以下に示す効果が期待できる。本考案は壁面材料や下地間柱に関わりなく見え掛かりの材料に直接止めることが出きたり、壁面材料が石コウボードであっても確実に石コウボードと建具枠材を手摺取付け部材のＬ字状部材をもって載設することにより出入りする建具開口部枠を狭めることなく、取付けられた手摺を握ったまま部屋間の移動をすることができ、従来のビスやボルトを斜めに固定をしなくても、垂直方向のみの固定により交差することなく固定でき、新築や既存住宅であっても下地による補強用桟や専門職による固定も必要でなく、いままでは手摺が取付けできなかったところにも取付けが出来ることで、体のバランスを崩しやすい玄関の靴の脱ぎ履きや、寝室、居間での床からの立上りにも使用でき、場所を選ばないで固定ができる手摺による構成から成るので以下に示す効果が期待できる。
１、材質の異なっている建築仕上り材料にも直接手摺が取付けられる。
２、よく手に触れている建具に横手摺高さの手摺が取付けられる。  図８表示。
３、厚さの薄い軟弱な芯材をもった下駄箱にもＬ字状手摺取付け部により手摺が取付けられる。
４、Ｌ字状手摺取付け部のビス穴は、交差しないように斜めにビスを固定する必要が無い。
５、Ｌ字状手摺取付け部をもった手摺は取付けたい場所に取付けられる。
６、建築枠が部屋と廊下の境にあり取付けられた手摺は別の部屋に移ってから離す事もできる。
７、引違障子と建築建具枠に付けた手摺は、両手摺を握ったまま隣の部屋に移ることができる。
８、狭い玄関の下駄箱に付いた手摺は、片手でも、両手でも靴やスリッパの脱ぎ履きができる。
９、室内家具に縦に取付けた手摺は床の物も拾い易く、天袋の高さの物も安心して下ろせる。
１０、サッシの出窓枠についた手摺は、ベッドから体を起こしたり浴槽の喚起事にも使用できる。
【図面の簡単な説明】
【０００９】
【図１】直線ハンドル斜視図。
【図２】Ｌ字状ハンドル斜視図。
【図３】図１のＡ−Ａ断面図を建築建具縦枠に取付けた図。
【図４】図１のＢ−Ｂ断面図を建築建具縦枠に取付けた図。
【図５】図２を家具下駄箱に取付けたＣ−Ｃ断面図。
【図６】図２を家具下駄箱に取付けたＤ−Ｄ断面図。
【図７】図１直線ハンドルを建築建具縦枠内に障子引違戸を取付けた図。
【図８】図１直線ハンドルを建築開きドアと建具縦枠に取付ける方法図。
【図９】図７の引違障子縦框重ね分にハンドルと同じ長さの手摺取付け部材を取付け方法図。
【図１０】図９の直線ハンドルと同じ長さのＬ字状部材を室内家具天板に取付けた図。
【図１１】Ｌ字ハンドルと同じ長さのＬ字状部材を継部材ごとに分離して家具下駄箱天板に取付けた図。
【図１２】Ｌ字ハンドルをＬ字状ハンドルと同じ長さのＬ字部材を縦方向に取付けた図
【考案を実施するための形態】
本発明の実施の形態を図面と参照して説明する。
【実施例１】
【００１０】    図１において、手摺取付け部のＬ字状取付け部と直線ハンドル１の継ぎ部材２を介して直線ハンドル１とＬ字状手摺取付け部材と継ぎ部材の接点１３にＬ字状に形成された手摺取付け部材３があり、Ｌ字状部材の上面板５とＬ字状部材のたて板４とでＬ字状に形成された部材は、直線ハンドル１より長いＬ字状に形成された手摺取付け部材３により一体的に形成されており、直線ハンドル１上には手摺取付け部のＬ字状取付け部材と直線ハンドル１の継ぎ部材２を貫け、Ｌ字状部材の上面板５までを貫通するビス取付け穴２０とＬ字状取付け部材と直線ハンドル１との左右の手摺取付け部のＬ字状取付け部と直線ハンドル１の継ぎ部材２の内側に直線ハンドル１上からＬ字状部材の上面板５のビスを止めるドライバー先ビットの通し穴７が開いていて、その垂線下には直線ハンドル１の下のビス止め穴６のビス穴が開いており、ビスで固定することができる。またＬ字状部材の上面板５には、直線ハンドル１より長いＬ字状に形成された手摺取付け部材３の上面板端にはビス穴８があり、Ｌ字状部材のたて板４の端にはビス止め穴９が開けられていて、Ｌ字部材のたて板ビス穴１０をもっている。また直線ハンドル１上にはビス穴蓋１１も取付けることもできる。
図２において、角を持つ手摺取付け部とＬ字ハンドル１０１との継ぎ部材１０２とコーナーの継ぎ部分１０２ａを介してＬ字ハンドル１とＬ字状手摺取付け部材と継ぎ部材の接点１１３にＬ字状に形成された角を持つ手摺取付部材１０３があり、Ｌ字状取付け部材の上面板１０５とＬ字状部材のたて板１０４とでＬ字状に形成された部材は、Ｌ字ハンドル１０１より長いＬ字状に形成された角を持つ手摺取付け部材１０３により一体的に形成されている。またＬ字ハンドル１０１上からは、手摺取付け部の角を持つ手摺取付け部とＬ字ハンドル１０１との継ぎ部材１０２を貫け、Ｌ字状手摺取付け部の上面板１０５までを貫通するビス取付け穴２０ａの他、Ｌ字状に形成された角を持つ手摺取付部材１０３とＬ字ハンドル１０１と角を持つ手摺取付け部とＬ字ハンドル１０１との継ぎ部材１０２の内側に、Ｌ字状部材上面板１０５のビス止めるドライバー先ビット通し穴１０７が開いており、その垂線下にはハンドル下のビス穴１０６が開けられ、ビスで固定することができる。さらにＬ字状部材上面板１０５にはＬ字ハンドル１０１より長い上面板端のビス止め穴１０８があり、Ｌ字状部材たて板１０４にもＬ字ハンドル１０１の両端にたて面端のビス止め穴１０９が開いておりコーナーの継ぎ部材１０２ａの近傍には、Ｌ字状部材のたて板１０４のビス穴１１０が開いていてビスが固定できる。またＬ字ハンドル１０１上にはビス穴蓋１１も取付けることができる。
図３において、図１のＡ−Ａ断面図を建築建具縦枠に取付けた図で、建築ドア用縦枠２３と壁面の石コウボード２１とが時と共に隙間が開いていかないように建築工事では、壁面から建築ドア縦枠２３に溝加工し、石コウボード２１を溝に差し込み固定されている。また建築ドア用縦枠２３に人が出入りし、片開きドア２５はドア開き方向矢印２６より出入りできる状態になっている。図の直線ハンドル１の手摺の取付けにおいて、直線ハンドル１より長いＬ字手摺取付部材のＬ字状部材の上面板５端にビス止め穴８がありビスにより固定がされ、一方で直線ハンドル１の上面にはビス用の穴があり、手摺取付け部のＬ字状取付け部と直線ハンドル１の継ぎ部材２からＬ字状部材の上面板５を抜け、建築ドア用たて枠２３内の石コウボード２１を挟み、貫設するビス穴２０をビスによって圧着し、Ｌ字状部材のたて板小口面矢印方向３３が押す力も加わり、２つの材料に跨ぎ建築ドア縦枠２３の見付けより広い巾をビスにより固定ができ、Ｌ字状取付部材により載設ができ、取付けられたハンドル１の手摺に人による力がかかっても出入り時の左右の力にも耐えることができ、建築ドア枠用縦枠の片側だけに取り付いたものでも、直線ハンドル１を持ったまま２つの部屋を行き来や廊下などにも出入りできる。また貫通するビス穴には蓋１１も取付けることができる。
図４において、直線ハンドル１を建築ドア用縦枠２３に取付け、Ｂ−Ｂ断面図では壁面側の石コウボード２１により下地の柱や間柱２２を覆い、さらに伸びた石コウボード２１は建築ドア用縦枠２３の側面溝に差し込まれて固定され、反対側の建築ドア用縦枠２３には、建築ドア用縦枠付戸当り２４に沿って片開きドア２５が片開き開き方向矢印２６方向に人の出入りができる。また手摺取付け部のＬ字状取付け部と直線ハンドル１との継ぎ部材２の内側にはハンドル１の上面にビスを止めるための穴があり、この穴を利用してＬ字状部材の上面板止め穴５のビスを止めるドライバー先ビット２７の通し穴７が開いていて、その垂線下にはハンドル１の下のビス止め穴６があり、建築ドア用縦枠２３の側面溝に差し込まれた石コウボード２１をビスで跨乗させ、Ｌ字状部材のたて面板４は小口面矢印３３の方向の力が石コウボード２１を載設しつつ、Ｌ字状に形成された手摺取付け部材３の密着により２つの材料に跨いで建築ドア用縦枠２３の見付けより広い巾をビスにより固定をする事により、割裂や石コウボード２１のビスだけによる圧壊することなく固着できる。ハンドル１上のビス穴蓋１１を取付けることもできる。
図５において、家具下駄箱天板に図２のＬ字ハンドル１０１を取付けたＣ−Ｃ断面図で、Ｌ字ハンドル１０１に、角を持つ手摺取付け部とＬ字ハンドル１０１との継ぎ部材１０２やコーナー継ぎ部材１０２ａとＬ字状手摺取付け部材と継ぎ部材の接点１１３を介してＬ字状に成型された角を持つ手摺取付け部材１０３には、Ｌ字状部材のたて板１０４に、たて面端のビス止め穴１０９が開いてビスが止まっており、Ｌ字状ハンドル、継ぎ部、Ｌ字状手摺取付け部を貫通するビス取付け穴２０ａから家具下駄箱の芯材３２のオガクズチップやペーパーハニカムへビス締めをすることでビスの位置決めが、Ｌ字状に成型された角を持つ手摺取付け部材１０３のＬ字状部材の上面板１０５を突き抜けて芯材にビスがねじ込まれ、ビスの上下左右の緩みが無くすことができ、Ｌ字状部材のたて面１０４には、たて面端のビス止め穴１０９を利用して家具下駄箱の天板上面化粧板１１１から家具下駄箱天板裏板化粧板１１２までビス締めにより圧着ができＬ字で形成された手摺取付け部材１０３により抑圧させることで載設されている。また家具用開き扉２５ａはＬ字ハンドル１０１の下にあり扉を開いても接触することはない。またＬ字ハンドル１０１上のビス穴蓋１１を取付けることもできる。
図６において、家具下駄箱天板に取付けた図２のＬ字ハンドル１０１のＤ−Ｄ断面図で、Ｌ字ハンドル１０１は角を持つ手摺取付け部とＬ字ハンドル１０１との継ぎ部材１０２とコーナー継ぎ部材１０２ａによりＬ字状手摺取付け部材と継ぎ部材の接点１１３を介してＬ字状に形成された角をもつ手摺取付け部材１０３により一体的に形成され、Ｌ字状部材の上面板１０５上のコーナー継ぎ部材１０２ａの近傍には、Ｌ字状部材のたて板１０４上のビス穴１１０を利用して、家具天板上面化粧板１１１から家具天板裏板化粧板１１２までビス締めにより圧着ができ、一方Ｌ字ハンドル１０１上にはＬ字状部材の上面板１０５に向かってビスを止めるドライバー先ビットの通し穴１０７が開いていて垂線下にあるハンドル下のビス穴１０６のビス穴にビスが固定されて、Ｌ字状部材の上面板１０５のビス穴から家具下駄箱の天板の芯材３２はオガクズチップやペーパーハニカムによる小口方向からビス締めをすることでビスの位置決めができ、引抜きの力の弱さを２つの材料に跨がるＬ字状に形成された手摺取付け部材１０３により、抑圧させることで載設されている。また家具用開き扉２５ａはＬ字ハンドル１の下にあり扉を開いても接触することはなく、意匠の点ではＬ字ハンドル１０１上のビス穴蓋１１を取付けることもできる。
図７において、建築引違用縦枠２３ａの左右縦枠には手摺取付け部のＬ字状取付け部と直線ハンドル１の継ぎ部材２を介して直線ハンドル１とＬ字状に形成された手摺取付け部３によって直線ハンドル１より長いＬ字で形成された部材３により一体的に形成され、左右の縦枠に使用され、引違障子側には手摺はまったくはみ出すことはない。また引違建具障子縦框４１が重なった部分には直線ハンドル１と同じ長さの手摺取付け部材３ａが使用され、引手として左右どちら側の建築建具枠に障子紙４２建具を移動しても左右の建築縦枠やハンドル同士がぶつかり合う事は無く、一間間口の引違障子でありながら障子戸をいっぱいに開いたとしても、縦の手摺を半間間口に取付けられた手摺として扱えることで、どちら側からの出入りでも左右のそれぞれの手で別々に手摺を握って使用できる。既存手摺の直線手摺の取付けは手摺両端継ぎ部からの壁面固定金物周りのビス穴による固定か直線手摺両端にある継ぎ部材を貫通する固定方法によるが、直線ハンドル１の手摺の取付けは継ぎ部を貫通する固定の他に、その内側に直線ハンドル１上からＬ字状部材の上面板５のビスを止めるドライバー先ビットの通し穴７を設けて、その穴の垂線下でＬ字状部材の上面板５にはハンドル１の下のビス止め穴６が開いていてビスによる固定ができる。
図８において、図１の直線ハンドル１と片開きドア２５を建築ドア用縦枠２３に、直線ハンドル１の上面からの継ぎ部の内側にも開いているビス穴を使用して固定している姿図で、姿図では手摺取付け部のＬ字状取付け部と直線ハンドル１の継ぎ部材２の内側にある直線ハンドル１上よりＬ字状に形成された手摺取付け部材３はＬ字状部材の上面板止め穴５にビスを止めるドライバー先ビットの通し穴７からの垂線下で、ハンドル１の下のビス止め穴６に、ビス止めをドライバー先ビット２７とビス締め器具２８により人３０が固定している。また建具片開きドア２５は廊下よりドア開き方向矢印２６の室内側に片開用ドアレバーハンドル２９により開くことができ、片開きドア２５にはガラス３４額と化粧の額３６と換気ガラリ３７額があり廊下横手摺の高さにあわせ直線ハンドル１と同じ長さの手摺取付け部材を持つ図９使用の横固定手摺がガラスとガラス押さえ額縁を跨設することで取付けられ、一般には片開用レバーハンドル２９と横手摺の高さの差は１５ｃｍ程あるため、廊下側だけでなく、部屋側も取付けると効果的であり、図は手前廊下側には建築ドア縦枠付戸当２４があるため開かない。また廊下の横手摺の高さは７５ｃｍ程で片開きドアレバーハンドル２９の高さは９０ｃｍ程で、片開きドアレバーハンドル２９が手摺としては高さが高すぎることもあり、７５ｃｍ程の高さにガラス額や化粧額や換気ガラリ額を使用して横手摺の延長として建具の意匠としても後から取付けて使用することができる。
図９において、図７の引違建具障子縦框４１に引違障子が閉じて重なった状態では手前縦框格子桟側への固定であり、直線ハンドル１は手摺取付け部のＬ字状取付け部と直線ハンドル１の継ぎ部材２を介し、Ｌ字状に形成された手摺取付け部材３により一体的に形成されていて、直線ハンドル１上のビス穴２０上からＬ字状部材上面板５を貫設し、引違建具障子縦框の障子紙４２の引戸にドライバービット２７とビス締め器具２８を使用して固定している。  によりＬ字状部材の上面板の止め穴５とＬ字状部材のたて板４において継ぎ部材間のたて板ビス穴１０によるビスの固定もでき、直線ハンドル１上のＬ字状部材の上面板５のビス穴にドライバー先ヒット通し穴７を使用して、ハンドル１の下のビス止め穴６にＬ字状に形成された部材と継部材とで直線ハンドル１と同じ長さでＬ字状に形成された部材３ａの仕様での固定方法である。
図１０において、屋内家具天板１１１ａに直線ハンドル１に手摺取付け部のＬ字状取付け部と直線ハンドル１の継ぎ部材２を介してＬ字状に形成された手摺取付け部材３により一体的に形成されていて、直線ハンドル１と同じ長さの手摺取付け部材３ａを仕様した図で、取付けられた直線ハンドル１を両手で握って頭部は屋内家具天板１１１ａの前方向に頭を突き出す事で握り易さを感じる。一般に壁面に手摺を固定し、両手で握ると頭部と膝とつま先は窮屈な気がして、すぐに体を手摺と直角にして、片手で手摺を握るともう一方の手で腕の上げ下げによる家事や家の中でのつたえ歩きする時の手摺として使用できます。
図１１において、図２とＬ字ハンドル１０１と、角を持つ手摺取付部とＬ字ハンドル１０１との継ぎ部材１０２と交点付近にＬ字状取付け部材への２つの継ぎ部材１０２ｂを介して、Ｌ字状に形成された角を持つ分配手摺取付け部材１０３ｂをによって一体形成されていて、Ｌ字ハンドル１０１とＬ字状に形成された角を持つ分配手摺取付け部材１０３ｂ全体は同じ長さを持ち、それぞれ継ぎ部材ごとにＬ字で形成され分配手摺付部材１０３ｂを仕様した図で脱衣室での着替えや足の裏の拭きマットでの乾燥しずらい場所だけでなく、スリッパの脱ぎ履きなどの他に室内家具天板１１１ａの家具天板上面化粧板１１１の表面が粗の面に固着でき、家の中での安心を感じさせます。
図１２において、図２のＬ字ハンドル１０１を室内家具天板１１１ａに片側を立てた仕様図で、Ｌ字ハンドル１０１に角を持つ手摺取付け部のＬ字ハンドル１０１との継ぎ部材１０２とＬ字状取付け部材へのコーナー継ぎ部分１０２ｂを介してＬ字状に成型された角を持つ手摺取付部材１０３ａにより一体成形され、Ｌ字ハンドル１０１と同じ長さの手摺取付け部材１０３ａを使用して、床からの立ち上がりや、床に落ちてしまったものを拾おうとした時や膝を曲げ伸ばしして、ズボンの上げ下げや靴下の踵を直したり、片手で手摺を持って体を安定させ、片手で作業ができる場所での寝室、居間、玄関、台所家具など室内における家具等に使用できます。【０００１２】手摺がなぜ高齢者住宅であってもあまり見られないか、高齢者自身が５０年前より平均２０年長生きしているのに、意識の中で高齢であることを考えたくないことも在るが、核家族であるがゆえに子供の世話にはなりたくないこともあり、転んで怪我をしても、体を動かさないでいれば、昨日と変わらない身体を保てると、内向な考え方になってしまっている。
施設内にのばされた長い手摺を見ると我が家には必要ないと思い込みたがる高齢者が多い時代、どんな場所であっても、誰でも安全に体を動かすきっかけの手摺を提供したい。【０００１３】
【産業上の利用可能性】
【０００１４】    手摺の取付けに下地材や下地の位置を考えなくても済み、邪魔にならない位置に取付けられる、両親の日にプレゼントを渡す一つに取付けまでするプレゼントの手摺を考え、のちに必要な長さに延ばすことで、体を安心して動かして欲しい。
【符号の説明】
【０００１５】１  直線ハンドル
２  手摺取付け部のＬ字状取付け部と直線ハンドルル１の継ぎ部材
３  Ｌ字状に形成された手摺取付け部材
３ａ  ハンドル１と同じ長さの手摺取付け部材
４  Ｌ字状部材のたて板
５  Ｌ字状部材の上面板の止め板
６  ハンドル１の下のビス止め穴
７  ５のビスを止めるドライバー先ビットの通し穴
８  上面板端のビス止め穴
９  たて板端のビス止め穴
１０  Ｌ字状部材のたて板ビス穴
１１  ビス穴蓋
１３  Ｌ字状手摺取付け部材と継ぎ部材の接点
２０  ハンドル  継ぎ部  Ｌ字状手摺取付け部を貫通するビス取付け穴
２０ａ  Ｌ字ハンドル  継ぎ部  Ｌ字状手摺取付け部を貫通するビス取付け穴
２１  石コウボード
２２  柱又は間柱
２３  建築ドア用縦枠
２４  建築ドア縦枠付戸当
２５  片開きドア
２５ａ  家具用開き扉
２６  ドア開き方向矢印
２７  ドライバー先ビット
３０  人
３２  家具下駄箱の天板の心材
３３  たて板小口面矢印
１０１  Ｌ字ハンドル
１０２  角を持つ手摺取付け部とＬ字ハンドル１０１との継ぎ部材
１０２ａ  コーナーの継ぎ部材
１０２ｂ  Ｌ字ハンドルとＬ字状取付け部材へのコーナー継ぎ部分
１０３  Ｌ字状に形成された角を持つ手摺取付け部材
１０３ａ  Ｌ字状ハンドル１０１と同じ長さの手摺取付け部材
１０３ｂ  Ｌ字状に形成された分配手摺取付け部材
１０４  Ｌ字状部材たて板
１０５  Ｌ字状部材上面板
１０６  ハンドル下のビス穴
１０７  １０５のビスを止めるドライバー先ビット通し穴
１０８  上面板端のビス止め穴
１０９  たて面端のビス止め穴
１１０  Ｌ字状部材のたて板ビス穴
１１１  家具天板上面化粧板
１１１ａ  室内家具天板
１１２  家具天板上面化粧板
１１３  Ｌ字状手摺取付け部材と継ぎ部材の接点
【図１】
0003170988.tif 000003
【図２】
0003170988.tif 000004
【図３】
0003170988.tif 000005
【図４】
0003170988.tif 000006
【図５】
0003170988.tif 000007
【図６】
0003170988.tif 000008
【図７】
0003170988.tif 000009
【図８】
0003170988.tif 000010
【図９】
0003170988.tif 000011
【図１０】
0003170988.tif 000012
【図１１】
0003170988.tif 000013
【図１２】
0003170988.tif 000014
【手続補正書】
【提出日】平成23年7月19日(2011.7.19)
【手続補正１】
【補正対象書類名】実用新案登録請求の範囲
【補正対象項目名】全文
【補正方法】変更
【補正の内容】
【実用新案登録請求の範囲】
【請求項１】
比較的薄板で形成された上面板と立て板とでＬ字状に形成された手摺取付け部材と直線状やＬ型に形成した手摺部材の端部や中央部から前記手摺取付け部材の上面に継ぎ部材を介して一体的に形成されており、これを直線状やＬ型に作られたドアや障子の縦部材や下駄箱の天板隅などに正面や上面からＬ字状手摺取付け部材を上から覆うようにしてビス止めしてあることを特徴とするどこでも取付けられる手摺。